(57)【特許請求の範囲】
【請求項１】
可撓性を有する略矩形状に形成されるスクリーンと、
前記スクリーンの一端側を保持する保持部と、
前記スクリーンの他端側を保持して前記スクリーンを巻き取る巻取部と、
前記巻取部に対して前記保持部を近接離間させることにより前記スクリーンを展張および収容させる伸縮機構と、
前記伸縮機構により前記スクリーンを展張した際、前記スクリーンの前記一端側の位置を調整する調整部と、
を備え、
前記調整部は、前記スクリーンの前記一端側を支持する複数の支持部材を備え、前記複数の支持部材のうち辺方向の端部に位置する支持部材を展張方向と辺方向に移動させる調整が可能であることを特徴とするスクリーン装置。
【請求項２】
請求項１に記載のスクリーン装置であって、
前記調整部は、前記保持部に設置されていることを特徴とするスクリーン装置。
【請求項３】
請求項１〜請求項２のいずれか一項に記載のスクリーン装置であって、
前記調整部は、
ねじ部を有する前記複数の支持部材と、
前記複数の支持部材にそれぞれ対応して回動自在に設置される複数の調整ねじ部材と、を備え、
前記複数の支持部材は、前記複数の調整ねじ部材の回動に従動して移動することを特徴とするスクリーン装置。
【請求項４】
請求項３に記載のスクリーン装置であって、
前記調整部は、前記保持部の両端側に設置され、前記複数の支持部材のうち、前記辺方向の両端側に位置する前記支持部材を従動させて前記辺方向の調整を行う前記調整ねじ部材を有していることを特徴とするスクリーン装置。
【請求項５】
請求項３に記載のスクリーン装置であって、
前記調整部は、前記保持部の両端側の一端側に設置されて当該一端側に対応する前記支持部材を従動させる前記調整ねじ部材と、前記保持部の両端側の他端側に設置されて当該他端側に前記スクリーンを引張る付勢部材と、を備え、前記辺方向の調整を行うことを特徴とするスクリーン装置。
【請求項６】
請求項３〜請求項５のいずれか一項に記載のスクリーン装置であって、
前記複数の調整ねじ部材は、前記スクリーンの前記一端側に沿って設置されていることを特徴とするスクリーン装置。
【請求項７】
請求項１〜請求項６のいずれか一項に記載のスクリーン装置であって、
前記伸縮機構は、リンク機構で構成されていることを特徴とするスクリーン装置。
【発明の詳細な説明】
【技術分野】
【０００１】
本発明は、スクリーン装置に関する。
【背景技術】
【０００２】
従来、プロジェクター等の投射型表示装置から投射された投射光をスクリーンで反射して画像を表示するスクリーン装置が知られている。このようなスクリーン装置は、伸縮機構を備えてスクリーンを伸縮するタイプのものが知られている。また、スクリーン装置は、スクリーンの一端側を保持する保持部と、他端側を巻き取り可能に保持する巻取部と、を備えている。巻取部は、スクリーンを巻き取る方向に常に引張り力を付与するバネ部材を有している。
【０００３】
なお、スクリーンは、巻取部において、一端側を両面粘着部材によりバネ部材などに固定される。また、スクリーンは、保持部において、他端側を両面粘着部材や、挟み込み、及び溝への挿通などの固定構造により固定される。
【０００４】
特許文献１では、プロジェクターを用いた投射型表示装置に一体で設置される投射型ディスプレイ装置用スクリーンにおいて、スクリーン本体の外周部を複数個の取り付け板で固定し、この取り付け板を取り付け角度が自在な状態でベース枠に固定する。そして、調整ねじを用いて取り付け板の取り付け角度を調整することにより、スクリーン本体の面形状を平面形状に調整することが開示されている。
【先行技術文献】
【特許文献】
【０００５】
【特許文献１】特開平９−３４０１４号公報
【発明の概要】
【発明が解決しようとする課題】
【０００６】
スクリーンは、製造時の加工歪や、使用した際の経年変化などにより、平面度が低下する。平面度の低下は、プロジェクターからの投射光を反射した際に画像を歪ませ、画質低下の要因になるという課題がある。また、上述したように、巻取部や保持部においてスクリーンを完全に固定する構造の場合、スクリーンを固定した後には、固定位置を容易に調整できなくなるという課題がある。このため、スクリーン装置の製造工程において、スクリーンを固定する際には高い位置精度が求められていた。
従って、簡易な構成で平面度の調整が容易に行えるスクリーン装置が要望されていた。
【課題を解決するための手段】
【０００７】
本発明は、上述した課題の少なくとも一部を解決するためになされたものであり、以下の形態または適用例として実現することが可能である。
【０００８】
（適用例１）本適用例に係るスクリーン装置は、可撓性を有する略矩形状に形成されるスクリーンと、スクリーンの一端側を保持する保持部と、スクリーンの他端側を保持してスクリーンを巻き取る巻取部と、巻取部に対して保持部を近接離間させることによりスクリーンを展張および収容させる伸縮機構と、伸縮機構によりスクリーンを展張した際、スクリーンの一端側の位置を調整する調整部と、を備え、調整部は、スクリーンの一端側を支持する複数の支持部材を備え、複数の支持部材のうち辺方向の端部に位置する支持部材を展張方向と辺方向に移動させる調整が可能であることを特徴とする。
【０００９】
このようなスクリーン装置によれば、スクリーンと保持部と巻取部と伸縮機構と調整部とを有し、スクリーンを展張した際、この調整部によりスクリーンの一端側の位置を調整することで、スクリーンの平面度の調整が容易に行えるスクリーン装置が実現できる。
【００１１】
このようなスクリーン装置によれば、調整部が、複数の支持部材のうち辺方向の端部に位置する支持部材の移動により、スクリーンの一端側を、展張方向および辺方向の少なくともいずれかの方向に移動させて調整することにより、スクリーンの弛みを調整することができる。これにより、スクリーンの平面度を適切に調整することができる。
【００１２】
（適用例３）上記適用例に係るスクリーン装置において、調整部は、保持部に設置されていることが好ましい。
【００１３】
このようなスクリーン装置によれば、調整部が保持部に設置されていることにより、調整部を他の構成部を設けて設置する場合に比べ、スクリーン装置の大型化を抑制することができる。
【００１４】
（適用例４）上記適用例に係るスクリーン装置において、調整部は、スクリーンの一端側を支持すると共にねじ部を有する複数の支持部材と、複数の支持部材にそれぞれ対応して回動自在に設置される複数の調整ねじ部材と、を備え、複数の支持部材は、複数の調整ねじ部材の回動に従動して移動することが好ましい。
【００１５】
このようなスクリーン装置によれば、調整部は、複数の支持部材とそれに対応する複数の調整ねじ部材とを有することで簡易に構成される。そして、複数の調整ねじ部材を回動させることにより、スクリーンの一端側を支持する複数の支持部材を移動させるという容易な調整でスクリーンの平面度を調整することができると共に、高い平面度を実現できる。
【００１６】
（適用例５）上記適用例に係るスクリーン装置において、複数の調整ねじ部材は、スクリーンの一端側に沿って設置されていることが好ましい。
【００１７】
このようなスクリーン装置によれば、複数の調整ねじ部材がスクリーンの一端側に沿って設置されることで、それぞれの調整ねじ部材による調整を一様に行うことができ、スクリーンの平面度の調整が容易となる。
【００１８】
（適用例６）上記適用例に係るスクリーン装置において、調整部は、保持部の両端側に設置され、複数の支持部材のうち、辺方向の両端側に位置する支持部材を従動させて辺方向の調整を行う調整ねじ部材を有していることが好ましい。
【００１９】
このようなスクリーン装置によれば、両端側に調整ねじ部材を設置して回動することで、辺方向の両端側に位置する支持部材を従動させて辺方向の調整を行うため、スクリーンの辺方向の調整が容易となる。
【００２０】
（適用例７）上記適用例に係るスクリーン装置において、調整部は、保持部の一端側に設置されて当該一端側に対応する支持部材を従動させる調整ねじ部材と、保持部の他端側に設置されて当該他端側にスクリーンを引張る付勢部材と、を備え、辺方向の調整を行うことが好ましい。
【００２１】
このようなスクリーン装置によれば、保持部の他端側に付勢部材を備えることにより、保持部の一端側に設置した調整ねじ部材を調整することのみで辺方向の調整を行うことができ、更に容易にスクリーンの辺方向の調整を行うことができる。
【００２２】
（適用例８）上記適用例に係るスクリーン装置において、伸縮機構は、リンク機構で構成されていることが好ましい。
【００２３】
このようなスクリーン装置によれば、伸縮機構がリンク機構（例えばパンタグラフ機構など）で構成されることにより、伸縮機構を簡易な構成で実現できる。
【図面の簡単な説明】
【００２４】
【図１】実施形態に係るスクリーン装置を示す図。
【図２】調整部を示す図。
【図３】調整部を示す図。
【図４】調整部を示す図。
【発明を実施するための形態】
【００２５】
以下、実施形態を図面に基づいて説明する。
（実施形態）
【００２６】
図１は、実施形態に係るスクリーン装置１を示す図であり、図１（ａ）は、スクリーン装置１を正面側から見た概平面図であり、図１（ｂ）は、スクリーン装置１の概側面図であり、図１（ｃ）は、スクリーン装置１を背面側から見た概平面図である。また、図１は、筺体３内部も概略図示している。図１を参照して、本実施形態のスクリーン装置１の概構成に関して簡略に説明する。
【００２７】
本実施形態のスクリーン装置１は、反射型のスクリーン装置１であり、床面Ｆ等に設置するタイプの装置である。スクリーン装置１は、直方体状の箱型に形成される筺体３の内部から上方（床面Ｆに対して略垂直な方向）に向かって、可撓性を有する略矩形状のスクリーン２が繰り出される。スクリーン２は、床面Ｆに対して起立して使用可能な状態となる。なお、スクリーン２は、机上等に設置されたプロジェクターから射出される投射光Ｌを観察者側に反射する。
【００２８】
図１を含む以降の図面では、各構成要素を図面上で認識できる程度の大きさとするため、各構成要素の寸法や比率を実際のものとは適宜異ならせて示している。また、図１を含む以降の図面では、説明の便宜上、ＸＹＺ直交座標系で記載する。ＸＹＺ直交座標系は、床面Ｆに対して垂直方向をＹ方向（床面Ｆに対して起立したスクリーン２の方向を＋Ｙ方向）とする。また、起立したスクリーン２の反射面２Ａに平行で、Ｙ方向に直交する方向をＸ方向（起立した状態のスクリーン２の反射面２Ａと正対した場合の右方向を＋Ｘ方向）とする。また、Ｙ方向及びＸ方向に直交する方向をＺ方向（起立したスクリーン２の反射面２Ａと正対する方向を＋Ｚ方向）とする。また、重力方向を基準として、重力方向を下方向、逆方向を上方向とする。
【００２９】
スクリーン装置１は、図１に示すように、スクリーン２と筺体３とを備えている。筺体３の内部には、伸縮機構として構成されるリンク機構が伸縮自在に設置されている。本実施形態のリンク機構は詳細には、パンタグラフ機構部４で構成され、複数のアーム４０とアーム４０を伸縮させる駆動部としてのシリンダー部４５とを有して構成される。
【００３０】
このパンタグラフ機構部４の上端部にはスクリーン保持部５が設置され、スクリーン２の一端側としての上端部を保持している。また、スクリーン２の他端側としての下端部は、筺体３内部に設置されるばね式のスクリーン巻取部６に固定されている。
【００３１】
スクリーン巻取部６は、スクリーン２の幅方向（Ｘ方向）の長さと略同等の長さの巻き取り軸６１を備えて構成されている。スクリーン巻取部６は、スクリーン２を巻き取る方向に常に引張り力を付与するバネ部材（図示省略）を内部に有している。
【００３２】
パンタグラフ機構部４は、上述したように、シリンダー部４５を有している。シリンダー部４５は、２つのシリンダー４５１，４５２を有して構成されている。このシリンダー４５１，４５２は、アーム４０を構成する第１アーム４０１及び第２アーム４０２に接続されている。シリンダー部４５が駆動した場合、シリンダー４５１，４５２が動作し、接続される第１アーム４０１及び第２アーム４０２を押し上げる動作を行うことにより、アーム４０が伸びる方向に移動する。この動作により、スクリーン２はスクリーン巻取部６から繰り出されて展張した状態（図１に示す状態）となる。
【００３３】
また、逆に、シリンダー部４５の駆動により、シリンダー４５１，４５２が第１アーム４０１及び第２アーム４０２を下げる動作を行うことにより、アーム４０が縮む方向に移動する。この動作により、スクリーン２はスクリーン巻取部６に巻き取られて筺体３内部に収容される状態となる。上述したように、パンタグラフ機構部４は、スクリーン巻取部６に対してスクリーン保持部５を近接離間させることにより、スクリーン２を展張及び収容させる。
【００３４】
図１（ａ）に示すように、スクリーン保持部５には、スクリーン２の上端部を展張方向（Ｙ方向）と辺方向（Ｘ方向）に移動させ、スクリーン２の展張状態における微調整を行う調整部７が設置されている。調整部７は、本実施形態ではスクリーン保持部５に５箇所（５つ）設置される。言い換えると、調整部７は、スクリーン２の上端部に沿って５つ設置される。調整部７は、図１（ａ）に示すように、左から調整部７１，７２，７３，７４，７５とする。また、調整部７は、調整部７１，７２，７３，７４，７５を用いて展張方向（Ｙ方向）の微調整を行い、両端に位置する調整部７１，７５を用いて辺方向（Ｘ方向）の微調整を行う構成となっている。
【００３５】
図２〜図４は調整部７を示す図である。
詳細には、図２は調整部７２を示す図であり、図２（ａ）は調整部７２を示す平面図であり、図２（ｂ）は調整部７２を示す断面図であり、図２（ｃ）は調整部７２の支持部材８２と調整ねじ部材９２を示す斜視図である。
【００３６】
図３は調整部７５を示す図であり、図３（ａ）は調整部７５を示す平面図であり、図３（ｂ）は調整部７５を示す断面図であり、図３（ｃ）は調整部７５を示す側面図であり、図３（ｄ）は調整部７５を示す断面図であり、図３（ｅ）は、調整部７５の支持部材８５と調整ねじ部材９５，９６を示す斜視図である。
【００３７】
図４は調整部７１を示す図であり、図４（ａ）は調整部７１を示す平面図であり、図４（ｂ）は調整部７１を示す断面図であり、図４（ｃ）は調整部７１を示す側面図であり、図４（ｄ）は調整部７１を示す断面図であり、図４（ｅ）は、調整部７１の支持部材８１と調整ねじ部材９１と付勢部材（付勢ばね９０）を示す斜視図である。
【００３８】
図２〜図４を参照して調整部７の構成と動作を説明する。
最初に、調整部７２，７３，７４の構成と動作を説明する。
調整部７２，７３，７４は、スクリーン２の上端部を展張方向（Ｙ方向）に移動させる調整を行う。なお、３つの調整部７２，７３，７４は、構成と動作が同様のため、以降の説明では、説明の便宜上、調整部７２を取り上げ、図２を参照して説明する。
【００３９】
調整部７２は、図２（ｃ）に示すように、支持部材８２と調整ねじ部材９２とを含んで構成される。支持部材８２は、スクリーン２の上端部を保持する部材であり、円筒状の支持部材本体８２１と、支持部材本体８２１にかしめ固定される固定部８２２とを有している。支持部材本体８２１には、後述する調整ねじ部材９２と噛み合うネジ加工されたねじ部としてのねじ孔８２１１を有している。固定部８２２は、大径部８２２１と小径部８２２２とを有し、この小径部８２２２をスクリーン２に明けた固定孔２２に挿通させて支持部材本体８２１にかしめることにより、スクリーン２と一体となる。なお、かしめには限定されず、ねじ締めや接着等により、固定部８２２と支持部材本体８２１とを固定してスクリーン２と一体としてもよい。
【００４０】
支持部材８２は、スクリーン２の反射面２Ａ側に固定部８２２（大径部８２２１）が位置し、スクリーン２の裏面２Ｂ側に支持部材本体８２１が位置する。スクリーン保持部５には、支持部材８２を伸張方向（Ｙ方向）に移動自在とする長孔５２１を有しており、この長孔５２１に支持部材８２の支持部材本体８２１を挿通させる。
【００４１】
調整ねじ部材９２は、支持部材８２を展張方向に移動させる部材であり、頭部９２１と軸部９２２とを有しており、軸部９２２は、頭部９２１側と、軸部９２２の先端側とを除いた外面にネジ加工が施されている。スクリーン保持部５には、調整ねじ部材９２を挿通して調整ねじ部材９２と支持部材８２とを噛み合わせると共に、調整ねじ部材９２のスクリーン２の辺方向への移動を可能とする受け孔５２２，５２３が、スクリーン保持部５の上面５Ａ側と底面５Ｂ側とに形成されている。
【００４２】
調整ねじ部材９２は、図２（ｂ）に示すように、軸部９２２を受け孔５２２から挿通し、スクリーン保持部５の内部に位置する支持部材８２のねじ孔８２１１に噛み合わせると共に、受け孔５２３に軸部９２２の先端側を挿通する。受け孔５２２は、調整ねじ部材９２の頭部９２１を移動自在に受け、受け孔５２３は、調整ねじ部材９２の軸部９２２の先端側を移動自在に受ける。
上述した構成により、調整部７２が構成される。
【００４３】
なお、調整部７２の調整ねじ部材９２と、他の調整部７３，７４の調整ねじ部材（図示省略）及び後述する調整部７５，７１の調整ねじ部材９５，９１とは、スクリーン２の一端側（上端部）に沿って設置される。また、調整部７２の支持部材８２と、他の調整部７３，７４の支持部材（図示省略）及び後述する調整部７５，７１の支持部材８５，８１とは、スクリーン２の一端側（上端部）に沿って設置される。
【００４４】
調整部７２による調整の仕方（調整部７２の動作）を説明する。
調整部７２による調整は、スクリーン２を展張した後、スクリーン保持部５の上面５Ａに設置される調整ねじ部材９２の頭部９２１を回動させることで行う。詳細には、頭部９２１を回動させることにより、軸部９２２と噛み合う支持部材８２が従動して、展張方向（上方向（＋Ｙ方向）または下方向（−Ｙ方向））に移動する。この支持部材８２の展張方向への移動により、スクリーン２の上端部は、展張方向へ移動する。
【００４５】
調整部７２の上述した動作により、スクリーン２の展張方向への微調整が行われる。調整部７２により、スクリーン２が展張した際に撓んでいる場合（平面度が良くない場合）、展張方向の微調整を行って撓みを調整し平面度を向上させることができる。
【００４６】
なお、調整部７３，７４も調整部７２と同様に構成され、同様に動作する。従って、調整部７３，７４も調整部７２と同様に、スクリーン２の展張方向への微調整を行うことができる。
【００４７】
次に、調整部７５の構成と動作に関し、図３を参照して説明する。
調整部７５は、上述した調整部７２，７３，７４と同様にスクリーン２の上端部を展張方向（Ｙ方向）に移動させて微調整する構成を有すると共に、スクリーン２の上端部を辺方向（Ｘ方向）に移動させて微調整する構成を有する。なお、辺方向（Ｘ方向）に移動させて調整する場合は、後述する調整部７１と協働して行う。
【００４８】
調整部７５は、図３（ｅ）に示すように、支持部材８５と２つの調整ねじ部材９５，９６とを含んで構成される。支持部材８５は、スクリーン２の上端部を保持する部材であり、上述した支持部材８２と略同様に構成される。支持部材８５は、支持部材８２の支持部材本体８２１及び固定部８２２と同様に、支持部材本体８５１及び固定部８５２を有している。
【００４９】
また、固定部８５２は、支持部材８２の固定部８２２が有する大径部８２２１及び小径部８２２２と同様に、大径部８５２１及び小径部８５２２を有している。また、支持部材本体８５１は、支持部材８２の支持部材本体８２１が有するねじ孔８２１１と同様に、ねじ孔８５１１を有している。なお、支持部材本体８５１には、後述する調整ねじ部材９６と噛み合うネジ加工されたねじ部としてのねじ孔８５１２を更に有していることが、支持部材８２と異なる点である。
【００５０】
支持部材８５は、支持部材８２と同様に、固定部８５２の小径部８５２２をスクリーン２に明けた固定孔２２に挿通させ、固定部８５２を支持部材本体８５１にかしめることにより、スクリーン２と一体となる。支持部材８５は、支持部材８２と同様に、スクリーン２の反射面２Ａ側に固定部８５２（大径部８５２１）が位置し、スクリーン２の裏面２Ｂ側に支持部材本体８５１が位置する。
【００５１】
また、スクリーン保持部５には、上述した長孔５２１と同様に、支持部材８５を伸張方向（Ｙ方向）に移動自在とする長孔５５１を有しており、この長孔５５１に支持部材８５の支持部材本体８５１を挿通させる。
【００５２】
調整ねじ部材９５は、支持部材８５を展張方向に移動させる部材であり、上述した調整ねじ部材９２と同様に構成される。調整ねじ部材９５は、調整ねじ部材９２の頭部９２１及び軸部９２２と同様に、頭部９５１及び軸部９５２を有している。スクリーン保持部５には、上述した受け孔５２２，５２３と同様に、受け孔５５２，５５３が形成されている。
【００５３】
調整ねじ部材９５は、図３（ｄ）に示すように、軸部９５２を受け孔５５２から挿通し、スクリーン保持部５の内部に位置する支持部材８５のねじ孔８５１１に噛み合わせると共に、受け孔５５３に軸部９５２の先端側を挿通する。受け孔５５２は、調整ねじ部材９５の頭部９５１を移動自在に受け、受け孔５５３は、調整ねじ部材９５の軸部９５２の先端側を移動自在に受ける。
【００５４】
調整ねじ部材９６は、支持部材８５を辺方向（Ｘ方向）に移動させる部材であり、上述した調整ねじ部材９２と同様に構成される。調整ねじ部材９６は、調整ねじ部材９２の頭部９２１及び軸部９２２と同様に、頭部９６１及び軸部９６２を有している。
【００５５】
スクリーン保持部５の右側面５Ｄには、図３（ｂ），（ｃ）に示すように、調整ねじ部材９６を受ける受け板３１が、スクリーン保持部５の上面５Ａと底面５Ｂとを挟む形状で設置されている。受け板３１には、支持部材８５の展張方向への移動を許容すると共に調整ねじ部材９６の頭部９６１を受ける長孔３１１が形成されている。なお、スクリーン保持部５の右側面５Ｄには、図３（ｂ）に示すように、この長孔３１１に相対して長孔３１１より形状が大きい長孔５５４が形成されている。
【００５６】
調整ねじ部材９６は、図３（ｂ），（ｄ）に示すように、軸部９６２を長孔３１１及び長孔５５４に挿通させ、スクリーン保持部５の内部に位置する支持部材８５のねじ孔８５１２に噛み合わせる。
上述した構成により、調整部７５が構成される。
【００５７】
調整部７５による調整の仕方（調整部７５の動作）を説明する。
調整部７５による調整は、上述した調整部７２と同様に、調整ねじ部材を回動させることで行う。調整部７５による調整は、スクリーン２を展張した後、スクリーン保持部５の上面５Ａに設置される調整ねじ部材９５の頭部９５１を回動させることで、展張方向の調整を行い、スクリーン保持部５の右側面５Ｄに設置される調整ねじ部材９６の頭部９６１を回動させることで、辺方向の調整を行う。
【００５８】
詳細には、調整ねじ部材９５の頭部９５１を回動させることにより、軸部９５２と噛み合う支持部材８５が従動して、展張方向（上方向（＋Ｙ方向）または下方向（−Ｙ方向））に移動する。この支持部材８５の展張方向への移動により、スクリーン２は、展張方向へ移動して微調整が行われる。
【００５９】
また、調整ねじ部材９６の頭部９６１を回動させることにより、軸部９６２と噛み合う支持部材８５が従動して、辺方向（右方向（＋Ｘ方向）または左方向（−Ｘ方向））に移動する。この支持部材８５の辺方向への移動により、スクリーン２は、辺方向へ移動して微調整が行われる。
【００６０】
調整部７５の上述した動作により、スクリーン２が展張した際に撓んでいる場合、スクリーン２の展張方向と辺方向への微調整が行われ、撓みを調整して平面度を向上させることができる。なお、調整部７５による辺方向の調整は、後述する調整部７１（詳細には、調整部７２〜７４も含む）と協働して行われる。
【００６１】
次に、調整部７１の構成と動作に関し、図４を参照して説明する。
調整部７１は、上述した調整部７２，７３，７４，７５と同様にスクリーン２の上端部を展張方向（Ｙ方向）に移動させて微調整する構成を有すると共に、スクリーン２の上端部を辺方向（Ｘ方向）に移動させて微調整する構成を有する。なお、辺方向（Ｘ方向）に移動させて調整する場合は、調整部７５と協働して行う。
【００６２】
調整部７１は、図４（ｅ）に示すように、支持部材８１と、調整ねじ部材９１と、付勢部材としての付勢ばね９０とを含んで構成される。支持部材８１は、スクリーン２の上端部を保持する部材であり、上述した支持部材８２と略同様に構成される。支持部材８１は、支持部材８２の支持部材本体８２１及び固定部８２２と同様に、支持部材本体８１１及び固定部８１２を有している。
【００６３】
また、固定部８１２は、支持部材８２の固定部８２２が有する大径部８２２１及び小径部８２２２と同様に、大径部８１２１及び小径部８１２２を有している。また、支持部材本体８１１は、支持部材８２の支持部材本体８２１が有するねじ孔８２１１と同様に、ねじ孔８１１１を有している。なお、支持部材本体８１１には、後述する付勢ばね９０と係合する受け孔８１１２を更に有していることが、支持部材８２と異なる点である。
【００６４】
支持部材８１は、支持部材８２と同様に、固定部８１２の小径部８１２２をスクリーン２に明けた固定孔２２に挿通させ、固定部８１２を支持部材本体８１１にかしめることにより、スクリーン２と一体となる。支持部材８１は、支持部材８２と同様に、スクリーン２の反射面２Ａ側に固定部８１２（大径部８１２１）が位置し、スクリーン２の裏面２Ｂ側に支持部材本体８１１が位置する。
【００６５】
また、スクリーン保持部５には、上述した長孔５２１と同様に、支持部材８１を伸張方向（Ｙ方向）に移動自在とする長孔５１１を有しており、この長孔５１１に支持部材８１の支持部材本体８１１を挿通させる。
【００６６】
調整ねじ部材９１は、支持部材８１を展張方向に移動させる部材であり、上述した調整ねじ部材９２と同様に構成される。調整ねじ部材９１は、調整ねじ部材９２の頭部９２１及び軸部９２２と同様に、頭部９１１及び軸部９１２を有している。スクリーン保持部５には、上述した受け孔５２２，５２３と同様に、受け孔５１２，５１３が形成されている。
【００６７】
調整ねじ部材９１は、図４（ｄ）に示すように、軸部９１２を受け孔５１２から挿通し、スクリーン保持部５の内部に位置する支持部材８１のねじ孔８１１１に噛み合わせると共に、受け孔５１３に軸部９１２の先端側を挿通する。受け孔５１２は、調整ねじ部材９１の頭部９１１を移動自在に受け、受け孔５１３は、調整ねじ部材９１の軸部９１２の先端側を移動自在に受ける。
【００６８】
付勢ばね９０は、いわゆる引張りコイルばねで構成されている。付勢ばね９０は、支持部材８１を辺方向に移動させる部材であり、詳細には、支持部材８１を−Ｘ方向に引張る部材である。付勢ばね９０は、ばね本体９０１とばね本体９０１の両端に有するフック９０２，９０３とで構成される。
【００６９】
スクリーン保持部５の左側面５Ｃには、図４（ｂ），（ｃ）に示すように、付勢ばね９０を受ける受け板３０が、スクリーン保持部５の上面５Ａと底面５Ｂとを挟む形状で設置されている。受け板３０には、長孔３０１が形成され、この長孔３０１に付勢ばね９０のフック９０２を係合する（引掛ける）受け部３０２が形成される。なお、スクリーン保持部５の左側面５Ｃには、図４（ｂ）に示すように、フック９０２の外径を逃げる形状の孔部５１４が形成されている。
【００７０】
付勢ばね９０は、図４（ｂ），（ｃ）に示すように、一方のフック９０２を孔部５１４と長孔３０１に挿通して受け部３０２に引掛ける。そして、他方のフック９０３を支持部材８１の受け孔８１１２に引掛ける。
上述した構成により、調整部７１が構成される。
【００７１】
調整部７１による調整の仕方（調整部７１の動作）を説明する。
調整部７１による調整は、上述した調整部７２と同様に、調整ねじ部材９１を回動させることで行う。調整部７１による調整は、スクリーン２を展張した後、スクリーン保持部５の上面５Ａに設置される調整ねじ部材９１の頭部９１１を回動させることで、展張方向の調整を行う。また、調整部７１による辺方向の調整は、上述した調整部７５との協働により行う。
【００７２】
詳細には、調整ねじ部材９１の頭部９１１を回動させることにより、軸部９１２と噛み合う支持部材８１が従動して、展張方向（上方向（＋Ｙ方向）または下方向（−Ｙ方向））に移動する。この支持部材８１の展張方向への移動により、スクリーン２は、展張方向へ移動して微調整が行われる。
【００７３】
なお、スクリーン保持部５の左側面５Ｃに設置される付勢ばね９０は、支持部材８１を辺方向（−Ｘ方向）に引張る動作を行う。そして、調整部７１による辺方向の調整は、この付勢ばね９０の支持部材８１を−Ｘ方向に引張る力と、上述した調整部７５による調整ねじ部材９６の支持部材８５を辺方向に引張る力との兼ね合いにより調整を行う。
【００７４】
調整部７１，７５の辺方向の調整により、支持部材８１，８５が辺方向（右方向（＋Ｘ方向）または左方向（−Ｘ方向））に移動する。なお、支持部材８１，８５の辺方向への移動に、他の調整部７２〜７４を構成する支持部材も従動する。この支持部材８１，８５の辺方向への移動（他の支持部材も含む）により、スクリーン２は、辺方向へ移動して微調整が行われる。
【００７５】
上述したように、調整部７１により、スクリーン２が展張した際に撓んでいる場合、展張方向と辺方向への微調整を行い、撓みを調整して平面度を向上させることができる。なお、調整部７１による辺方向の調整は、調整部７５（詳細には、調整部７２〜７４も含む）と協働して行われる。
【００７６】
上述した実施形態によれば、以下の効果が得られる。
本実施形態のスクリーン装置１によれば、スクリーン保持部５とスクリーン巻取部６とパンタグラフ機構部４と調整部７とを有している。そして、スクリーン２を展張した際、調整部７の調整により、スクリーン２の上端部を展張方向と辺方向に移動させて調整することで、スクリーン２の弛みを調整することができる。従って、スクリーン装置１により、スクリーン２の平面度を適切に調整することができる。
【００７７】
本実施形態のスクリーン装置１によれば、調整部７は、複数の調整部７１〜７５を有して構成され、調整部７は、複数の支持部材８１，８２，８５とそれに対応する複数の調整ねじ部材９１，９２，９５，９６とを有することで構成される。従って、簡易な構成でスクリーン２の平面度の調整が行えるスクリーン装置１を実現できる。また、複数の調整ねじ部材９１，９２，９５，９６を、支持部材８１，８２，８５のねじ孔８１１１，８２１１，８５１１，８５１２に噛み合わせて回動させることにより、スクリーン２の上端部を支持する複数の支持部材８１，８２，８５を移動させるという容易な調整でスクリーン２の平面度を調整することができると共に、高い平面度を実現できる。
【００７８】
本実施形態のスクリーン装置１によれば、調整部７がスクリーン保持部５に設置されていることにより、調整部７を他の構成部を設けて設置する場合に比べ、スクリーン装置１の大型化を抑制することができる。
【００７９】
本実施形態のスクリーン装置１によれば、複数の調整ねじ部材９１，９２，９５がスクリーン２の上端部に沿ってスクリーン保持部５に設置されることで、それぞれの調整ねじ部材による調整を一様に行うことができ、スクリーン２の平面度（特に展張方向）の調整が容易となる。
【００８０】
本実施形態のスクリーン装置１によれば、スクリーン保持部５の左側面５Ｃに設置されてスクリーン２を引張る調整部７１（付勢ばね９０）と、スクリーン保持部５の右側面５Ｄに設置されて支持部材８５を従動させる調整部７５（調整ねじ部材９６）とを備えている。この構成により、スクリーン装置１は、１つの調整ねじ部材９６を調整することのみでスクリーン２の辺方向の調整を行うことができ、容易に辺方向の微調整を行うことができる。
【００８１】
本実施形態のスクリーン装置１によれば、伸縮機構がリンク機構としてのパンタグラフ機構部４で構成されることにより、伸縮機構を簡易な構成で実現できる。
【００８２】
なお、上述した実施形態に限定されず、その要旨を逸脱しない範囲において種々の変更や改良等を加えて実施することが可能である。変形例を以下に述べる。
【００８３】
前記実施形態のスクリーン装置１は、スクリーン保持部５の左側面５Ｃに付勢部材としての付勢ばね９０を有する調整部７１を備え、右側面５Ｄに調整ねじ部材９６を有する調整部７５を備えている。しかし、付勢部材は備えずに、調整ねじ部材９６と同様の調整ねじ部材を有する調整部を備えてもよい。この場合、双方の調整ねじ部材の調整により、スクリーン２の辺方向の調整を行うことで、容易にスクリーン２の辺方向の調整が行える。
【００８４】
前記実施形態のスクリーン装置１は、スクリーン保持部５の左側面５Ｃに付勢ばね９０を有する調整部７１を備え、右側面５Ｄに調整ねじ部材９６を有する調整部７５を備えているが、左側面５Ｃに調整ねじ部材９６を有する調整部７５を備え、右側面５Ｄに付勢ばね９０を有する調整部７１を備えてもよい。
【００８５】
前記実施形態のスクリーン装置１は、調整部７が５つ設置されている。しかし、調整部の数には限定されない。２つの調整部を設置して、展張方向と辺方向とを調整させる構成としてもよい。
【００８６】
前記実施形態のスクリーン装置１は、調整部７により、スクリーン２の展張方向と辺方向の両方向を調整している。しかし、これに限らず、スクリーン２の展張方向および辺方向のいずれかの方向に調整することでよく、展張方向のみ、又は辺方向のみの調整を行う調整部を用いることでもよい。
【符号の説明】
【００８７】
１…スクリーン装置、２…スクリーン、４…パンタグラフ機構部、５…スクリーン保持部、６…スクリーン巻取部、７…調整部、７１，７２，７３，７４，７５…調整部、８１，８２，８５…支持部材、９０…付勢ばね、９１，９２，９５，９６…調整ねじ部材、８１１１，８２１１，８５１１，８５１２…ねじ孔。
【図１】
0005790008.tif 000002
【図２】
0005790008.tif 000003
【図３】
0005790008.tif 000004
【図４】
0005790008.tif 000005